(57)【要約】【課題】専用センサを設けることなしに、水に濡れる使用環境か否かに応じた制御を行うデジタルカメラを提供すること。【解決手段】デジタルカメラは、画像を取得する撮像素子１０２と、撮像素子１０２で取得された画像に所定の処理を施す画像処理部１０４と、撮像素子１０２または画像処理部１０４の温度を検出する温度検出部１０３と、撮像素子１０２および画像処理部１０４による動作開始から所定時間内に温度検出部１０３で検出された温度の変化に基づいて、水に濡れる環境か否かを判定する判定部１０５と、判断部１０５による判断結果に基づいて、水に濡れる環境に適した動作状態に制御する制御部１０５と、を備える。【選択図】図１
2014049962.tif 000002
【特許請求の範囲】
【請求項１】
画像を取得する撮像素子と、
前記撮像素子で取得された画像に所定の処理を施す画像処理部と、
前記撮像素子または前記画像処理部の温度を検出する温度検出部と、
前記撮像素子および前記画像処理部による動作開始から所定時間内に前記温度検出部で検出された温度の変化に基づいて、水に濡れる環境か否かを判定する判定部と、
前記判断部による判断結果に基づいて、前記水に濡れる環境に適した動作状態に制御する制御部と、
を備えることを特徴とするデジタルカメラ。
【請求項２】
請求項１に記載のデジタルカメラにおいて、
前記判定部は、電源投入から所定時間内に前記温度検出部で検出された温度の変化に基づいて、前記水に濡れる環境か否かを判定することを特徴とするデジタルカメラ。
【請求項３】
請求項２に記載のデジタルカメラにおいて、
前記撮像素子によって所定の撮影フレームレートで取得され、前記画像処理部で処理された画像を逐次再生表示する液晶表示部をさらに備え、
前記制御部は、前記水に濡れる環境が判定された場合の前記液晶表示部のバックライト光の明るさを、前記水に濡れる環境が判定されない場合の明るさより暗く制御することを特徴とするデジタルカメラ。
【請求項４】
請求項３に記載のデジタルカメラにおいて、
前記制御部は、前記水に濡れる環境が判定された場合の前記液晶表示部のバックライト光の明るさを、前記撮像素子によって取得された画像の明るさが暗いほど暗く制御することを特徴とするデジタルカメラ。
【請求項５】
請求項３または４に記載のデジタルカメラにおいて、
前記制御部は、前記水に濡れる環境が判定された場合の前記液晶表示部の表示フレームレートを、前記水に濡れる環境が判定されない場合の表示フレームレートより遅く制御することを特徴とするデジタルカメラ。
【請求項６】
請求項３〜５のいずれか一項に記載のデジタルカメラにおいて、
前記制御部は、前記水に濡れる環境が判定された場合の前記液晶表示部の表示フレームレートを、前記撮像素子によって画像が取得される前記撮影フレームレートより遅く制御することを特徴とするデジタルカメラ。
【請求項７】
請求項３〜６のいずれか一項に記載のデジタルカメラにおいて、
前記制御部はさらに、前記温度検出部で検出された温度が所定の制限温度に達すると、前記撮像素子による画像の取得と前記液晶表示部による再生表示とを停止させることを特徴とするデジタルカメラ。
【請求項８】
請求項７に記載のデジタルカメラにおいて、
前記制御部は、前記水に濡れる環境が判定された場合と前記水に濡れる環境が判定されない場合とで前記制限温度を異ならせることを特徴とするデジタルカメラ。
【発明の詳細な説明】
【技術分野】
【０００１】
本発明は、デジタルカメラに関する。
【背景技術】
【０００２】
水中において使用可能な全天候型のカメラで、カメラが水中にあるか否かを検出するセンサを備えるものが知られている（特許文献１参照）。
【先行技術文献】
【特許文献】
【０００３】
【特許文献１】特開平７−１２８７２０号公報
【発明の概要】
【発明が解決しようとする課題】
【０００４】
従来技術のものは、発光素子および受光素子を含む専用センサを備えるので、コストがかさむという問題がある。
【課題を解決するための手段】
【０００５】
本発明によるデジタルカメラは、画像を取得する撮像素子と、撮像素子で取得された画像に所定の処理を施す画像処理部と、撮像素子または画像処理部の温度を検出する温度検出部と、撮像素子および画像処理部による動作開始から所定時間内に温度検出部で検出された温度の変化に基づいて、水に濡れる環境か否かを判定する判定部と、判断部による判断結果に基づいて、水に濡れる環境に適した動作状態に制御する制御部と、を備えることを特徴とする。
【発明の効果】
【０００６】
本発明によるデジタルカメラでは、専用センサを設けることなしに、水に濡れる使用環境か否かに応じた制御を行える。
【図面の簡単な説明】
【０００７】
【図１】デジタルカメラの要部構成を例示するブロック図である。
【図２】カメラボディの電源オン後の検出温度の変化を例示する図である。
【図３】制御回路が実行する処理の流れを説明するフローチャートである。
【図４】変形例１によるカメラボディの電源オン後の検出温度の変化を例示する図である。
【発明を実施するための形態】
【０００８】
以下、図面を参照して本発明を実施するための形態について説明する。本実施形態によるデジタルカメラは、所定の防水性能を備える全天候型カメラであり、内部の温度変化に基づいて使用環境、具体的には「水」に濡れる環境か否かを判定する。図１は、デジタルカメラの要部構成を例示するブロック図である。デジタルカメラは、カメラボディ１と交換レンズ２とで構成される。
【０００９】
図１において、カメラボディ１は、操作部材１０１と、撮像素子１０２と、温度検出センサ１０３と、画像処理部１０４と、制御回路１０５と、記録再生部１０６と、モニタ１０７と、通信回路１０８とを含み、図示しない電池が装填される。
【００１０】
なお、図１にはカメラボディ１と着脱可能な交換レンズ２とで構成されるカメラシステムを例示したが、カメラボディと撮影レンズとを一体に構成した（レンズ交換不能）デジタルカメラに対し、後述する環境判定機能を搭載してもよい。その場合、図１において符号２の構成は、カメラボディ１に含まれることになる。
【００１１】
操作部材１０１は、使用者によって操作される種々の入力部材、例えば電源スイッチ、シャッターボタン、メニューボタンなどを含む。撮像素子１０２は、ＣＭＯＳイメージセンサなどによって構成される。
【００１２】
温度検出センサ１０３は、後述するライブビュー動作を強制的に停止するための制限温度か否かを検出する。温度検出センサ１０３は、カメラボディ１内で発熱する部位（例えば、撮像素子１０２）の温度を検出し、検出信号を制御回路１０５へ送出する。画像処理部１０４は、制御回路１０５からの指示に基づいて、撮像素子１０２で取得された画像信号に対して所定の画像処理を行う。画像処理は、後述する記録用の画像データを生成する処理や、モニタ１０７で再生表示する表示用の画像データを生成する処理を含む。
【００１３】
制御回路１０５は、図示しないメモリおよびその他の周辺回路によって構成され、カメラボディ１が行う撮影動作を制御する。また。上記画像処理後の画像データを格納した画像ファイルを生成する。
【００１４】
記録再生部１０６は、制御回路１０５からの指示に基づいて画像ファイルをメモリカード５０に記録し、また、メモリカード５０に記録されている画像ファイルを読出す。メモリカード５０は、図示しないカードスロットに着脱自在に取り付けられる記録媒体である。
【００１５】
モニタ１０７は、カメラボディ１の背面に搭載された液晶モニタである。当該モニタ１０７は、撮像素子１０２によって取得された画像に基づくライブビュー画像、メモリカード５０に記録されている画像ファイルに基づく再生画像、カメラボディ１の機能を設定するためのメニュー画面などを表示する。ライブビュー画像は、撮影指示前に撮像素子１０２によって所定の撮影フレームレート（例えば３０フレーム／秒）で取得された画像に基づいて逐次再生表示するモニタ用の画像である。
【００１６】
通信回路１０８は、装着された交換レンズ２側の通信回路２０２との間で所定の通信を行う。通信内容は、例えば、交換レンズ２側の制御回路２０１に対する制御信号などである。
【００１７】
交換レンズ２は、制御回路２０１と、通信回路２０２とを含む。通信回路２０２は、カメラボディ１側の通信回路１０８との間で通信を行う。制御回路２０１は、カメラボディ１からの指示に基づいて図示しないフォーカシングレンズや絞りの駆動を制御する。
【００１８】
＜環境判定＞
上記カメラシステムの使用環境を判定する環境判定機能について、以下に説明する。制御回路１０５は、温度検出センサ１０３から所定時間（例えば５秒）ごとに入力される温度情報に基づいて、以下のようにデジタルカメラが水中環境か否かを判定する。
【００１９】
図２は、本実施形態によるカメラボディ１の電源オン後６０秒間の、温度検出センサ１０３による検出温度の変化を例示する図である。カメラボディ１の周囲温度２０℃において、交換レンズ２を装着したカメラボディ１をコールドスタートさせた場合の温度変化である。カメラボディ１は電源オンすると撮影モードで起動するように設定されている。制御回路１０５は、初期設定後にモニタ１０７にライブビュー画像の表示を開始させて撮影待機状態にし、撮影指示（シャッターボタンの押下）を待つ。
【００２０】
図２において、横軸は電源オン後の経過時間（秒）を表し、縦軸は温度検出センサ１０３による検出温度（℃）を表す。直線２１はデジタルカメラが水中で電源オンされた場合の温度上昇特性を示し、直線２２はデジタルカメラが陸上環境（乾燥状態）で電源オンされた場合の温度上昇特性を示す。撮影待機状態では、撮像素子１０２による画像の取得と画像処理部１０４によるライブビュー表示のための画像処理とを繰り返し行うので、温度が上昇しやすい。このため、電源オン直後の検出温度は直線的に上昇する。
【００２１】
電源オン後６０秒以降は、温度上昇の時間変化が鈍化し、やがて温度平衡に達する。本実施形態では、水中環境を含む「水」に濡れる環境での温度上昇率が陸上環境における温度上昇率より高いことから、温度変化が所定の判定閾値より高ければ「水」に濡れる環境にあると判定し、温度変化が判定閾値より低ければ「水」に濡れる環境にないと判定する。なお、上記判定に用いる電源オン後の時間（本例では６０秒）や判定閾値は、コールドスタート時における周囲温度、電源オン直後の温度上昇率などに応じて適宜変更して構わない。
【００２２】
＜環境判定後の切替え＞
制御回路１０５は、「水」に濡れる環境にあると判定した場合に、ライブビュー表示するモニタ１０７のバックライトの明るさを、通常時に比べて所定量下げる。下げる量は固定量にしてもよいが、本実施形態では、ライブビュー表示用に撮像素子１０２で取得されている画像の明るさ（例えば、画面内の平均的な明るさ）に応じて下げる量を変化させる。具体的には、撮像素子１０２で取得されている画像が明るいほど下げる量を小さくし、撮像素子１０２で取得されている画像が暗いほど下げる量を大きくする。
【００２３】
一般に、デジタルカメラが水中にある場合は太陽光が届きにくく、モニタ１０７を観察する環境が暗くなる。また、デジタルカメラが水中になくても雨水に濡れている場合は太陽光が雲に遮られ、モニタ１０７を観察する環境は晴天時に比べて暗い。バックライトの明るさを下げることで、ライブビュー画像の表示輝度を適度にし、バックライトの明るさを下げない場合に比べて消費電力の低減にも役立つ。
【００２４】
さらに、制御回路１０５は、「水」に濡れる環境にあると判定した場合に、ライブビュー表示するモニタ１０７の表示フレームレートを、通常時に比べて低速にする。本実施形態では、例えば通常時の３０フレーム／秒から１５フレーム／秒に切替える。なお、撮像素子１０２がライブビュー用に画像を取得する撮影フレームレートは、通常時の３０フレーム／秒を維持させる。これにより、撮影フレームレートより表示フレームレートが遅くなる。
【００２５】
一般に、デジタルカメラが水中にある場合は「水」の抵抗を受けるので、カメラをパンニングする場合の速度が陸上でパンニングする場合に比べて緩やかになる。このため、ライブビュー表示するモニタ１０７の表示フレームレートを通常時に比べて低速にしても、実質的に問題となりにくい。また、デジタルカメラが水中になくても雨水に濡れている場合はモニタ１０７の視認性が悪いので、ライブビュー表示するモニタ１０７の表示フレームレートを通常時に比べて低速にしても、実質的に問題となりにくい。表示フレームレートを低速にすることで、表示フレームレートを低速にしない場合に比べて消費電力の低減にも役立つ。
【００２６】
カメラボディ１は、温度検出センサ１０３による検出温度があらかじめ定めた制限温度に達すると、クールダウンのために強制的にライブビュー表示動作を停止させる機能を備えている。制限温度は、カメラボディ１における第１所定部位（例えば発熱部位そのもの）の温度上昇を制限するための第１制限温度と、カメラボディ１における第２所定部位（例えばカメラボディ１の外面）の温度上昇を制限するための第２制限温度とが切替え可能である。
【００２７】
例えば、カメラボディ１の外面が「水」に濡れている場合の使用者は、カメラボディ１の外面が乾いている場合に比べて、カメラボディ１の外面の温度が高い場合の不快感を感じにくい。そこで、制御回路１０５は、「水」に濡れる環境にあると判定した場合に、通常時の第２制限温度から第１制限温度へ上記制限温度を切替え変更する。これにより、発熱部位は、通常時より高い温度まで温度上昇が許容される。一般に、ダイビングにおいては水中でグローブをつける場合が多いので、カメラボディ１の電源オフ／オフ操作を頻繁に行うことが困難である。このため、一旦電源オンしたあとは、できるだけ長時間使用できることが望ましい。上述したように制限温度を変更することで、制限温度を変更しない場合に比べて水中での動作時間を長く確保できる。
【００２８】
＜制御回路１０５が実行する処理＞
制御回路１０５が実行する環境判定処理の流れについて、図３に例示するフローチャートを参照して説明する。制御回路１０５は、電源オン操作されると図３による処理を行うプログラムを起動させる。図３のステップＳ１１において、制御回路１０５は、所定の初期化処理を行ってステップＳ１２へ進む。初期化処理は、モニタ１０７のバックライトを通常時の明るさ設定にすること、表示フレームレートを３０フレーム／秒に設定すること、および上記制限温度を第２制限温度へ設定することを含む。
【００２９】
ステップＳ１２において、制御回路１０５は、温度検出センサ１０３からの検出信号に基づく温度変化の検出を開始してステップＳ１３へ進む。ステップＳ１３において、制御回路１０５は、モニタ１０７へのライブビュー表示を開始させてステップＳ１４へ進む。なお、ライブビュー表示を開始すると撮影待機状態となり、撮影指示があれば撮影処理を行う。
【００３０】
ステップＳ１４において、制御回路１０５は、所定時間（本例では６０秒）が経過したか否かを判定する。制御回路１０５は、所定時間が経過した場合にステップＳ１４を肯定判定してステップＳ１５へ進む。所定時間が経過していない場合には、ステップＳ１４を否定判定し、当該判定処理を繰り返す。
【００３１】
ステップＳ１５において、制御回路１０５は、上記検出温度の時間変化が判定閾値より大か否かを判定する。制御回路１０５は、時間変化が判定閾値より大の場合にステップＳ
１５を肯定判定してステップＳ１６へ進み、時間変化が判定閾値以下の場合にはステップＳ１５を否定判定し、図３による処理を終了する。ステップＳ１５を肯定判定する制御回路１０５は、デジタルカメラが「水」に濡れる環境にあると判断する。ステップＳ１５を否定判定する制御回路１０５は、デジタルカメラが「水」に濡れる環境にないと判断する。
【００３２】
ステップＳ１６において、制御回路１０５は、モニタ１０７のバックライトの明るさ制御を開始してステップＳ１７へ進む。これにより、モニタ１０７のバックライトの明るさが、撮像素子１０２で取得されている画像の明るさに応じて変化する。
【００３３】
ステップＳ１７において、制御回路１０５は、モニタ１０７の表示フレームレートを通常時の３０フレーム／秒から１５フレーム／秒に切替え制御してステップＳ１８へ進む。ステップＳ１８において、制御回路１０５は、温度上昇時にライブビュー表示動作を停止させるための制限温度を変更する。具体的には、通常時の第２制限温度から第１制限温度へ上記制限温度を切替え変更し、図３による処理を終了する。
【００３４】
なお、図３による環境判定処理後は、電源オフ操作されるまで撮影待機状態を継続する。制御回路１０５は、操作部材１０１を構成するシャッターボタンが操作された場合は、撮影処理を実行する。
【００３５】
以上説明した実施形態によれば、次の作用効果が得られる。
（１）デジタルカメラは、画像を取得する撮像素子１０２と、撮像素子１０２で取得された画像に所定の処理を施す画像処理部１０４と、撮像素子１０２の温度を検出する温度検出センサ１０３と、撮像素子１０２および画像処理部１０４による動作開始から６０秒間内に温度検出センサ１０３で検出された温度の変化に基づいて、水に濡れる環境か否かを判定する制御回路１０５と、制御回路１０５による判断結果に基づいて、水に濡れる環境に適した動作状態に制御する制御回路１０５と、を備えるようにしたので、専用センサを設けなくても、水に濡れる使用環境か否かに応じた制御を行える。
【００３６】
（２）上記（１）のデジタルカメラにおいて、制御回路１０５は、電源オンから６０秒間内に温度検出センサ１０３で検出された温度の変化に基づいて、水に濡れる環境か否かを判定するので、例えば、温度平衡に達するまで待って判定する場合に比べて、環境判定後の制御を早く行える。
【００３７】
（３）上記（２）のデジタルカメラにおいて、撮像素子１０２によって３０フレーム／秒で取得され、画像処理部１０４で処理された画像を逐次再生表示するモニタ１０７をさらに備え、制御回路１０５は、水に濡れる環境が判定された場合のモニタ１０７のバックライト光の明るさを、水に濡れる環境が判定されない場合の明るさより暗く制御する。一般に、デジタルカメラが水中にある場合や、デジタルカメラが雨水に濡れている場合はモニタ１０７を観察する環境が暗いため、バックライト光の明るさを下げることで、表示輝度を適度に制御できる。また、消費電力の低減にも役立つ。
【００３８】
（４）上記（３）のデジタルカメラにおいて、制御回路１０５は、水に濡れる環境が判定された場合のモニタ１０７のバックライト光の明るさを、撮像素子１０２によって取得された画像の明るさが暗いほど暗く制御するので、モニタ１０７を観察する環境（明るさ）に合わせた表示輝度に制御できる。
【００３９】
（５）上記（３）、（４）のデジタルカメラにおいて、制御回路１０５は、水に濡れる環境が判定された場合のモニタ１０７の表示フレームレートを、水に濡れる環境が判定されない場合の表示フレームレートより遅く制御した。一般に、デジタルカメラが水中にある場合は「水」の抵抗によってカメラのパンニング速度が緩やかになる。このため、ライブビュー表示するモニタ１０７の表示フレームレートを低速にする方が見やすくなる。また、表示フレームレートを低速にすることは消費電力の低減にも役立つ。
【００４０】
（６）上記（３）〜（５）のデジタルカメラにおいて、制御回路１０５は、水に濡れる環境が判定された場合のモニタ１０７の表示フレームレートを、撮像素子１０２によって画像が取得される撮影フレームレートより遅く制御するようにした。撮影フレームレートを遅くしないことで、例えば、露出演算や自動焦点調節に用いる情報の取得速度が低下するのを避けることができる。
【００４１】
（７）上記（３）〜（６）のデジタルカメラにおいて、制御回路１０５はさらに、温度検出センサ１０３で検出された温度が所定の制限温度に達すると、撮像素子１０２による画像の取得とモニタ１０７による再生表示とを停止させるので、許容温度を超える温度上昇を防ぐことができる。
【００４２】
（８）上記（７）のデジタルカメラにおいて、制御回路１０５は、水に濡れる環境が判定された場合と水に濡れる環境が判定されない場合とで制限温度を異ならせるので、制限温度を変更しない場合に比べて、例えば水中環境における動作時間を長く確保できる。
【００４３】
（変形例１）
上記実施形態では、温度検出センサ１０３によって撮像素子１０２の温度を検出する例を説明した。この代わりに、画像処理部１０４の温度を検出するように構成してもよい。図４は、変形例１によるカメラボディ１の電源オン後６０秒間の、温度検出センサ１０３による検出温度の変化を例示する図である。カメラボディ１の周囲温度２０℃において、交換レンズ２を装着したカメラボディ１をコールドスタートさせた場合の温度変化である。カメラボディ１が電源オンすると撮影モードで起動するように設定される点、および起動処理後、モニタ１０７にライブビュー画像の表示を開始させて撮影待機状態にする点は、上記実施形態と同様である。
【００４４】
図４において、横軸は電源オン後の経過時間（秒）を表し、縦軸は温度検出センサ１０３による検出温度（℃）を表す。直線４１はデジタルカメラが水中で電源オンされた場合の温度上昇特性を示し、直線４２はデジタルカメラが陸上（乾燥状態）で電源オンされた場合の温度上昇特性を示す。撮影待機状態では、撮像素子１０２による画像の取得と画像処理部１０４によるライブビュー表示のための画像処理とを繰り返し行うので、温度が上昇しやすい。このため、電源オン直後の検出温度は直線的に上昇する。電源オン後６０秒以降は、温度上昇の時間変化が鈍化し、やがて温度平衡に達する。
【００４５】
変形例１においても、上記実施形態と同様に水中環境における温度上昇率が陸上環境における温度上昇率より高いことから、温度変化が所定の判定閾値より高ければ「水」に濡れる環境にあると判定し、温度変化が判定閾値より低ければ「水」に濡れる環境にないと判定する。
【００４６】
（変形例２）
温度検出センサ１０３による検出温度に基づく判定処理だけでなく、ＧＰＳ衛星からの信号を受信して得られる位置情報に基づいた判定処理を組み合わせることによって、デジタルカメラが「水」に濡れる環境か否かを判定する構成にしてもよい。変形例２の制御回路１０５は、図示しないＧＰＳ受信部で受信された情報に基づいて測位演算を行い、測位結果をあらかじめ用意された地図情報と照合することによって、カメラボディ１の存在位置が陸上に相当する位置か、陸上でない位置（海、湖、池、川に相当）かを判定する。
【００４７】
そして、制御回路１０５は、温度検出センサ１０３による検出温度に基づいてステップＳ１５（図３）を肯定判定した後、さらにＧＰＳ衛星からの信号を用いた測位結果に基づいた判定処理によってカメラボディ１の存在位置が陸上にないと判定した場合において、デジタルカメラが「水」に濡れる環境にあると判断してステップＳ１６へ進む。一方、ステップＳ１５を肯定判定した場合であっても、ＧＰＳ衛星からの信号を用いた測位結果に基づいた判定処理によってカメラボディ１の存在位置が陸上にあると判定した場合には、デジタルカメラが「水」に濡れる環境にあると判断しない。変形例２によれば、検出温度に基づく判定のみを行うよりも、より丁寧な判断を行うことができる。
【００４８】
（変形例３）
温度検出センサ１０３による検出温度に基づいた判定だけでなく、色温度に基づく判定処理を組み合わせることによってデジタルカメラが「水」に濡れる環境か否かを判定する構成にしてもよい。変形例３の制御回路１０５は、ライブビュー表示用に取得した画像の色成分比（例えばＧ／Ｒ、Ｇ／Ｂ）に基づいて、取得した画像が青みがかった画像であるか否かを判定する。青みがかった画像であればデジタルカメラ１が水中を撮影している可能性が高く、青みがかっていない（自然光の場合と同様の色成分比を有する）画像である場合にはデジタルカメラ１が水中を撮影している可能性が低い。
【００４９】
そこで、制御回路１０５は、温度検出センサ１０３による検出温度に基づいてステップＳ１５（図３）を肯定判定した後、さらに色温度に基づく判定処理によってライブビュー表示用に取得した画像が青みがかっていると判定した場合において、デジタルカメラが「水」に濡れる環境にあると判断してステップＳ１６へ進む。一方、ステップＳ１５を肯定判定した場合であっても、色温度に基づく判定処理によってライブビュー表示用に取得した画像が青みがかっていると判定しない場合には、デジタルカメラが「水」に濡れる環境にあると判断しない。変形例３によれば、検出温度に基づく判定のみを行うよりも、より丁寧に判断することができる。
【００５０】
（変形例４）
上述した説明では、カメラボディ１の電源オン後６０秒間の検出温度の変化に基づいて、デジタルカメラが「水」に濡れる環境か否かを判定する例を説明した。この代わりに、あるいはこれに加えて、交換レンズ２に装着されている保護部材（レンズキャップ）が外された後、所定時間（例えば６０秒間）の検出温度の変化に基づいて、デジタルカメラが「水」に濡れる環境か否かを判定するようにしてもよい。
【００５１】
以上の説明はあくまで一例であり、上記の実施形態の構成に何ら限定されるものではない。また、実施形態および各変形例は、適宜組み合わせて構わない。
【符号の説明】
【００５２】
１…カメラボディ
２…交換レンズ
１０１…操作部材
１０２…撮像素子
１０３…温度検出センサ
１０４…画像処理部
１０５…制御回路
１０７…モニタ
【図１】
2014049962.tif 000003
【図２】
2014049962.tif 000004
【図３】
2014049962.tif 000005
【図４】
2014049962.tif 000006